(57)【特許請求の範囲】
【請求項１】
入力不足電圧制御モジュール、過大電力保護モジュール、制御可能負荷モジュール、及び電力変換モジュールを含む、シリコン制御整流器（ＳＣＲ）適合定電圧回路であって、
ＳＣＲの１つの端子は前記電力変換モジュールに接続され、及び前記ＳＣＲのもう１つの端子は電力供給モジュールに接続され、
前記入力不足電圧制御モジュール、前記過大電力保護モジュール、及び前記制御可能負荷モジュールはそれぞれ第１サンプリング点と前記電力変換モジュールとの間に並列に接続され、ここで、前記第１サンプリング点が前記ＳＣＲと前記電力変換モジュールとの間に配置され、
前記電力変換モジュールは負荷モジュールに接続され、及び前記電力供給モジュールにより提供される電気信号を定電圧に変換するように構成され、ここで、前記電力変換モジュールが前記定電圧を前記負荷モジュールに提供し、
前記入力不足電圧制御モジュールは、前記電力変換モジュールを制御して、前記第１サンプリング点における電圧と第１参照電圧との比較に基づき、電力変換を開始又は停止させるように構成され、
前記過大電力保護モジュールは、前記電力変換モジュールを制御して、前記第１サンプリング点における電圧と第２参照電圧との比較に基づき、電力変換を開始又は停止させるように構成され、及び
前記制御可能負荷モジュールは、前記電力変換モジュールが電力変換を停止するとき、前記ＳＣＲのオンを維持するように構成される、
ＳＣＲ適合定電圧回路。
【請求項２】
前記入力不足電圧制御モジュールが、前記第１サンプリング点における電圧は前記第１参照電圧より大きいことを検知するとき、前記入力不足電圧制御モジュールは前記電力変換モジュールを制御して電力変換を開始させ、及び
前記入力不足電圧制御モジュールが、前記第１サンプリング点における電圧は前記第１参照電圧より低い又は前記第１参照電圧と同等であることを検知するとき、前記入力不足電圧制御モジュールは前記電力変換モジュールを制御して電力変換を停止させる、
請求項１に記載のＳＣＲ適合定電圧回路。
【請求項３】
前記入力不足電圧制御モジュールが、前記第１サンプリング点における電圧は前記第２参照電圧より大きいことを検知するとき、前記入力不足電圧制御モジュールは前記電力変換モジュールを制御して電力変換を停止させ、及び
前記入力不足電圧制御モジュールが、前記第１サンプリング点における電圧は前記第２参照電圧より低い又は前記第２参照電圧と同等であることを検知するとき、前記入力不足電圧制御モジュールは前記電力変換モジュールを制御して電力変換を開始させる、
請求項１に記載のＳＣＲ適合定電圧回路。
【請求項４】
さらに、第４整流モジュールを含む、請求項１に記載のＳＣＲ適合定電圧回路であって、
前記電力供給モジュールの１つの端子が前記ＳＣＲの１つの端子に接続され、及び前記電力供給モジュールの前記その他の端子が前記第４整流モジュールの第１入力端子に接続され、
前記ＳＣＲの前記その他の端子が前記第４整流モジュールの第２入力端子に接続され、
前記第４整流モジュールの第１出力端子が前記電力変換モジュールに接続され、及び前記第４整流モジュールの第２出力端子が前記電力変換モジュール及び低電位に接続され、及び
前記第１サンプリング点における電圧が第２サンプリング点における電圧と第３サンプリング点における電圧との合計であり、ここで、前記第２サンプリング点が前記第４整流モジュールの第１入力端子に配置され、及び前記第３サンプリング点が前記第４整流モジュールの前記第２入力端子に配置される、
ＳＣＲ適合定電圧回路。
【請求項５】
さらに、第１加算器を含む、請求項４に記載のＳＣＲ適合定電圧回路であって、
前記第１加算器の第１入力端子が前記第４整流モジュールの第１入力端子に接続され、及び前記第１加算器の第２入力端子が前記第４整流モジュールの第２入力端子に接続され、ここで、前記第１加算器の前記第１入力端子及び前記第２入力端子が第１重畳電圧を出力するように構成され、前記第１重畳電圧が前記第２サンプリング点と前記第３サンプリング点とにおける電圧の合計であり、及び
前記第１サンプリング点は前記第１加算器の出力端子に配置される、
ＳＣＲ適合定電圧回路。
【請求項６】
請求項１〜５のいずれか１項に記載のＳＣＲ適合定電圧回路であって、ここで、前記入力不足電圧制御モジュールが電圧サンプリング・モジュール及び第１ヒステリシス・コンパレータを含み、
前記電圧サンプリング・モジュールが複数時間について前記第１サンプリング点における電圧をサンプリングして、平均電圧値を出力し、及び
前記第１ヒステリシス・コンパレータが、前記平均電圧値を第１参照電圧と比較するために前記電圧サンプリング・モジュールと接続され、ここで、もし前記平均電圧値が前記第１参照電圧より大きいなら、前記第１ヒステリシス・コンパレータが高電位を出力し、前記電力変換モジュールを制御して電力変換を開始させ、及びもし前記平均電圧値が前記第１参照電圧より低い又は前記第１参照電圧と同等であるなら、前記第１ヒステリシス・コンパレータが低電位を出力して前記電力変換モジュールを制御して電力変換を停止させる、
ＳＣＲ適合定電圧回路。
【請求項７】
さらに、抵抗及び制御可能スイッチを含む、請求項１〜５のいずれか１項に記載のＳＣＲ適合定電圧回路であって、ここで、
前記制御可能スイッチが前記電力変換モジュールに接続され、及び前記抵抗が前記制御可能スイッチに直列に接続され、及び
前記電力変換モジュールが電力変換を停止させるとき、前記制御可能スイッチがスイッチ・オンになるように構成される、
ＳＣＲ適合定電圧回路。
【請求項８】
さらに、第２加算器、増幅器、及び第２ヒステリシス・コンパレータを含む、請求項１〜５のいずれか１項に記載のＳＣＲ適合定電圧回路であって、ここで、
前記第２加算器の第１入力端子は前記電力変換モジュールに接続され、及び前記第２加算器の第２入力端子は前記第１サンプリング点に接続されて第２重畳電圧を出力し、ここで前記第２重畳電圧は前記第１サンプリング点における電圧と前記電力変換モジュールの出力電圧との重畳であり、
前記増幅器は前記第２加算器に接続されて前記第２重畳電圧を増幅し、及び
前記第２ヒステリシス・コンパレータは前記増幅器に接続されて、前記増幅された第２重畳電圧を第２参照電圧と比較し、ここで、もし前記増幅された第２重畳電圧が前記第２参照電圧より大きいなら、前記第２ヒステリシス・コンパレータは高電位を出力し、前記電力変換モジュールを制御して電力変換を停止させ、及びもし前記増幅された第２重畳電圧が前記第２参照電圧より低い又は前記第２参照電圧と同等なら、前記第２ヒステリシス・コンパレータは低電位を出力し、前記電力変換モジュールを制御して電力変換を開始させる、
ＳＣＲ適合定電圧回路。
【請求項９】
ＳＣＲ（シリコン制御整流器）調光器及び請求項１〜８のいずれか１項に記載のＳＣＲ適合定電圧回路を含む発光ダイオード（ＬＥＤ）調光回路であって、ここで、
前記ＳＣＲ調光器の１つの端子が前記電力変換モジュールに接続され、及び
前記ＳＣＲ適合定電圧回路が前記ＳＣＲ調光器のもう１つの端子及び１又は複数のＬＥＤ照明部品に接続されて、当該１又は複数のＬＥＤ照明部品用の定電圧を提供する、
ＬＥＤ調光回路。
【請求項１０】
請求項９に記載のＬＥＤ調光回路及び前記１又は複数のＬＥＤ照明部品を含む発光ダイオード（ＬＥＤ）照明装置であって、前記ＬＥＤ調光回路が前記１又は複数のＬＥＤ照明部品に接続される、
ＬＥＤ照明装置。
【発明の詳細な説明】
【技術分野】
【０００１】
この出願は、2015年1月15日に出願された中国特許出願番号201510020461.Xに基づく優先権を主張し、この出願全体は本発明に参照により取り込まれる。
【０００２】
本願開示は、発光ダイオード（ＬＥＤ）技術の分野、特に詳しくは、シリコン制御整流器（ＳＣＲ）に適合する定電圧回路、発光ダイオード（ＬＥＤ）調光回路、及び関連するＬＥＤ照明装置に関する。
【背景技術】
【０００３】
シリコン制御整流器（ＳＣＲ）は、３つのｐ−ｎ接合を有する４層の高電力半導体である。また、ＳＣＲはシリスター（thyristor）とも呼ばれる。ＳＣＲは、小さく、比較的簡単な構造及び高性能をもつなどの利点を有する。したがって、ＳＣＲは様々な電子装置及び電子製品において広範囲に用いられてきている。ＳＣＲは、主に、整流器、インバータ、周波数変換器、電圧調整器、非接触スイッチ等に用いられている。例えば、調光ライト、速度制御可能扇風機、空調機、テレビ、冷蔵庫、洗濯機、カメラ、音響システム、音響光学回路（acousto-optic circuits）、タイミング制御装置（timing controllers）、トイデバイス（toy devices）、リモコン（radio remote control device）、ビデオカメラ、及び産業用制御装置（industrial control device）のような多くの家庭製品は、部品としてＳＣＲを含む。
【発明の概要】
【発明が解決しようとする課題】
【０００４】
現在のＳＣＲ製品は、主に定電流調整回路（constant-current regulation circuits）において用いられている。しかしながら、現在、ますます多くの回路が定電圧調整器を必要としている。したがって、ＳＣＲの適合性を改善し、負荷に定電圧を提供することが重要である。したがって、安定で信頼性のある調整方法を開発することが望ましい。
【０００５】
本願開示のシステム及び方法は、１又は複数の上述の問題及びその他の問題を解決することに関する。
【課題を解決するための手段】
【０００６】
本願開示の１つの側面又は態様により、シリコン制御整流器（ＳＣＲ）に適合する定電圧回路（以下、「ＳＣＲ適合定電圧回路」ともいう。）が提供される。前記回路には、入力不足電圧制御モジュール（input undervoltage control module）、過大電力保護モジュール（overpower protection module）、制御可能負荷モジュール（controllable load module）、及び電力変換モジュール（power conversion module）が含まれる。さらに、ＳＣＲの１つの端子は前記電力変換モジュールに接続し、及び前記ＳＣＲのもう１つの端子は電力供給モジュール（power supply module）に接続する。前記入力不足電圧制御モジュール、前記過大電力保護モジュール、及び前記制御可能負荷モジュールはそれぞれ、第１サンプリング点と前記電力変換モジュールとの間に並列に接続され、ここで、前記第１サンプリング点は前記ＳＣＲ及び前記電力変換モジュールの間に配置される。前記電力変換モジュールは負荷モジュールに接続され、前記電力供給モジュールにより提供される電気信号を定電圧に変換するように構成され、ここで、前記電力変換モジュールは前記定電圧を前記負荷モジュールに提供する。前記入力不足電圧制御モジュールは、前記第１サンプリング点における電圧と第１参照電圧との間の比較に基づき、前記電力変換モジュールを制御して電力変換を開始又は停止するように構成される。前記過大電力保護モジュールは、前記第１サンプリング点における電圧と第２参照電圧との間の比較に基づき、前記電力変換モジュールを制御して電力変換を開始又は停止させるように構成される。前記制御可能負荷モジュールは、前記電力変換モジュールが電力変換を停止するとき、ＳＣＲをオン状態に維持するように構成される。
【０００７】
本願開示のもう１つの側面又は態様には、発光ダイオード（ＬＥＤ）調光回路が含まれる。前記回路には、上述のように、シリコン制御整流器（ＳＣＲ）調光器及び前記ＳＣＲ適合定電圧回路が含まれる。さらに、前記ＳＣＲ調光器の１つの端子は前記電力供給モジュールに接続される。前記ＳＣＲ適合定電圧回路は、１又は複数のＬＥＤ照明部品用の定電圧を提供するために、前記ＳＣＲ調光器のもう１つの端子及び１又は複数のＬＥＤ照明部品に接続される。
【０００８】
本願開示のもう１つの側面又は態様には、発光ダイオード（ＬＥＤ）照明装置が含まれる。前記装置には、上述のような前記ＬＥＤ調光回路及び１又は複数のＬＥＤ照明部品が含まれる。前記ＬＥＤ調光回路は１又は複数のＬＥＤ照明部品に接続される。
【図面の簡単な説明】
【０００９】
以下の図面は様々な開示の態様にしたがった説明のための単なる実例であり、本願発明の範囲を限定することを意図するものではない。
【００１０】
【図１】図１は、本願開示の様々な態様にしたがった、ＳＣＲ適合定電圧回路の１例を表わすブロック図である。
【００１１】
【図２ａ】図２ａは、本願開示の様々な態様にしたがった、ＳＣＲ適合定電圧回路のもう１つの例を表わすブロック図である。
【００１２】
【図２ｂ】図２ｂは、本願開示の様々な態様にしたがった、ＳＣＲ適合定電圧回路のもう１つの例を表わすブロック図である。
【００１３】
【図２ｃ】図２ｃは、本願開示の様々な態様にしたがった、ＳＣＲ適合定電圧回路のもう１つの例を表わすブロック図である。
【００１４】
【図３】図３は、本願開示の様々な態様にしたがった、ＳＣＲ適合定電圧回路のもう１つの例を表わすブロック図である。
【００１５】
【図４】図４は、本願開示の様々な態様にしたがった、ＳＣＲ適合定電圧回路のもう１つの例を表わすブロック図である。
【００１６】
【図５】図５は、本願開示の様々な態様にしたがった、ＳＣＲ適合定電圧回路のもう１つの例を表わすブロック図である。
【００１７】
【図６】図６は、本願開示の様々な態様にしたがった、ＬＥＤ調光回路の１例の構造を表わすブロック図である。
【発明を実施するための形態】
【００１８】
添付図面に記載された本願発明態様の実例について、以下に詳細な説明を行う。以下、本願開示にしたがった態様は、図面を参照して記載される。可能な限り、全図面を通して、同一又は類似のものを言及するために同一の参照番号を用いる。記載された態様は幾つかあり、本願発明の全ての態様ではないことは明らかである。開示された態様に基づいて、当業者は、本願開示にしたがったその他の態様を導くことができるが、それらのすべては本願発明の範囲内にある。
【００１９】
説明の目的及び参照の簡潔さのために、本願開示における前記電力供給モジュール１６は図１及び３〜５のブロック図で示し、及び図２のＡＣ電源で示す。これは、前記電力供給モジュールの機能及び構造における相違を示すものではない。
【００２０】
図１は、本願開示の第１態様により提供されるＳＣＲ適合定電圧回路の１例の構造を表わす。図１に示されるように、前記ＳＣＲ適合定電圧回路は、入力不足電圧制御モジュール１１、過大電力保護モジュール１２、制御可能負荷モジュール１３、及び電力変換モジュール１４を含むことができる。
【００２１】
前記電力変換モジュール１４は前記ＳＣＲ１５の１つの端子に接続することができる。前記ＳＣＲ１５のその他の端子は電力供給モジュール１６に接続することができる。前記入力不足電圧制御モジュール１１、前記過大電力保護モジュール１２、及び前記制御可能負荷モジュール１３のそれぞれは、前記第１サンプリング点Ａ及び前記電力変換モジュール１４の両方に接続することができる。前記第１サンプリング点Ａは前記ＳＣＲ１５と前記電力変換モジュール１４との間に配置することができる。
【００２２】
前記電力変換モジュール１４は負荷モジュール１７に接続することができる。前記電力変換モジュール１４は、前記電力供給モジュール１６により提供される電気信号用の電力を変換し、定電圧を前記負荷モジュール１７に提供するように構成することができる。前記入力不足電圧制御モジュール１１は、前記入力不足電圧制御モジュール１１が前記第１サンプリング点Ａにおける電圧は第１参照電圧より高いと検知するとき、前記電力変換モジュール１４を制御して電力変換を開始するように構成することができる。前記入力不足電圧制御モジュール１１が前記第１サンプリング点Ａにおける電圧は前記第１参照電圧と同等又は前記第１参照電圧より低いと検知するとき、前記入力不足電圧制御モジュール１１は前記電力変換モジュール１４を制御して電力変換を停止することができる。前記過大電力保護モジュール１２は、前記過大電力保護モジュール１２が前記第１サンプリング点Ａにおける電圧は第２参照電圧より高いと検知するとき、前記電力変換モジュール１４を制御して電力変換を停止するように構成することができる。前記過大電力保護モジュール１２が前記第１サンプリング点Ａにおける電圧は前記第２参照電圧と同等又は前記第２参照電圧より低いと検知するとき、前記過大電力保護モジュール１２は前記電力変換モジュール１４を制御して電力変換を開始することができる。前記制御可能負荷モジュール１３は、前記制御可能負荷モジュール１３が前記電力変換モジュール１４は電力変換を停止したことを検知するとき、前記ＳＣＲ１５を起動するように構成することができる。
【００２３】
具体的には、前記定電圧回路は前記ＳＣＲ１５と前記負荷モジュール１７との間に並列で接続することができ、定電圧を負荷モジュール１７に提供することができる。さらに、前記第１サンプリング点Ａは前記ＳＣＲ１５と前記電力変換モジュール１４との間に配置することができる。前記入力不足電圧制御モジュール１１、前記過大電力保護モジュール１２、及び前記制御可能負荷モジュール１３はそれぞれ、前記第１サンプリング点Ａと前記電力変換モジュール１４との間に並列に接続することができる。前記負荷モジュール１７は固定負荷及び／又は変動可能負荷であり得る。例えば、前記負荷モジュール１７は、如何なる適切な家庭用品、又は、例えば、ＬＥＤ照明部品のような、その他の適切な回路モジュールであり得る。前記特別なタイプの前記負荷モジュール１７は本願開示の態様により限定されるべきではない。
【００２４】
実際に、前記電力供給モジュール１６により提供される、前記定電圧回路の入力は交流（ＡＣ）電流又は直流（ＤＣ）電流であり得る。前記ＳＣＲ１５は如何なる適切なタイプのＳＣＲ装置でもよい。例えば、前記ＳＣＲ１５は３極交流半導体スイッチ（ＴＲＩＡＣ）であり得る。前記電力変換モジュール１４はフライバック（flyback）可能な又はフォワード（forward）電力変換モードの如何なる適切な装置であり得る。前記電力変換モジュール１４のタイプは本願開示の態様により限定されるべきではない。
【００２５】
具体的には、前記定電圧回路は一定の出力電圧を有することができる。すなわち、前記定電圧回路の出力電圧は前記定電圧回路の出力電力にもかかわらず、一定であることができる。前記ＳＣＲ１５の導通角（conduction angle）が比較的小さいとき、前記定電圧回路が十分な出力電力を出力するには、前記電力供給モジュール１６は十分に高い電流を前記定電圧回路に入力することが必要である。前記ＳＣＲ１５の導通角が比較的大きいとき、前記定電圧回路の出力電力は高くなり得る。このとき、前記ＳＣＲ１５が確かな伝導を維持するには、前記ＳＣＲ１５を介して流れるために一定量の電流が必要とされる。
【００２６】
前記ＳＣＲ１５の導通角が比較的小さいとき、前記ＳＣＲ１５が前記定電圧回路に十分に高い電流を入力する必要があるという課題を解決するために、本願開示により前記定電圧回路における前記入力不足電圧制御モジュール１１が提供される。前記入力不足電圧制御モジュール１１は、前記第１サンプリング点Ａにおける電圧に基づき前記電力変換モジュール１４の開始又は停止を制御することができる。具体的には、前記ＳＣＲ１５の導通角が特定値、例えば、９０度より小さいとき、前記入力不足電圧制御モジュール１１は第１制御信号Ｖctr1を前記電力変換モジュール１４に出力することができる。前記第１制御信号Ｖctr1は、前記電力変換モジュール１４を制御して電力変換を停止させるように構成することができる。前記入力不足電圧制御モジュール１１及び前記第１制御信号Ｖctr1は確かな作動を確保して、前記定電圧回路の不足電圧保護機能を入力することができる。
【００２７】
前記電力供給モジュール１６が前記定電圧回路に高い出力電力を入力するという課題を解決するために、本願開示により前記過大電力保護モジュール１２が提供される。前記過大電力保護モジュール１２が前記定電圧回路への入力電力が高すぎることを検知するとき、前記過大電力保護モジュール１２は、電流Ｖisense及び前記第１サンプリング点Ａにおける電圧に基づき第３制御信号Ｖctr3を前記電力変換モジュール１４に送信することができる。現在のＶisenseは、電力変換モジュール１４が過電力保護モジュール１２に送る電流であってもよい。前記第３制御信号Ｖctr3は、前記過大電力保護モジュール１２が前記定電圧回路への入力電力は高過ぎることを検知するとき、前記電力変換モジュール１４を制御して電力変換を停止し、前記定電圧回路の安全性と信頼性を確保するために用いることができる。
【００２８】
前記ＳＣＲ１５のオン状態を維持する前記スイッチ・オン電流を提供するために、本願開示により、また前記ＳＣＲ１５がオンのとき前記ＳＣＲ１５を介して特定量の電流を確保するための制御可能負荷モジュール１３も提供される。したがって、前記ＳＣＲ１５はオン状態を確実に維持することができる。
【００２９】
本願開示により提供される前記ＳＣＲ適合定電圧回路において、前記ＳＣＲ１５の導通角が特定値に低下するとき、前記入力不足電圧制御モジュール１１は前記電力変換モジュール１４を制御して電力変換を停止させることができる。前記定電圧回路への入力電力が高すぎるとき、前記過大電力保護モジュール１２は前記電力変換モジュール１４を制御して電力変換を停止させることができる。また、前記制御可能負荷モジュール１３は、前記ＳＣＲ１５のスイッチが入る又はスイッチ・オンの状態にあるとき、前記ＳＣＲ１５を介して特定量の電流が流れることを確保することもできる。前記ＳＣＲ１５のオン状態を維持する電流、すなわち、前記スイッチ・オン電流を提供することができる。前記ＳＣＲ１５は伝導信頼性を維持することができる。したがって、ある特定の導通角において、前記定電圧回路は全範囲の負荷について定出力電圧を確保することができる。また、前記定電圧回路は、前記ＳＣＲ１５を安全に及び確実に制御するために過大電力保護機能及び入力不足電圧制御保護機能を含むこともできる。したがって、前記定電圧回路は定電圧を前記負荷モジュール１７に提供し、前記出力電圧の安定的かつ信頼性のある制御を実行することができる。
【００３０】
具体的には、入力不足電圧制御保護機能及び過大電力保護機能をより正確に実行するために、及び前記ＳＣＲ１５用の安定なスイッチ・オン電流を提供するために、入力電圧検知点、すなわち、前記第１サンプリング点Ａが必要とされる。具体的には、前記第１サンプリング点Ａは複数の方法において実現することができる。
【００３１】
任意に、図２ａは、本願開示の第２態様にしたがった前記ＳＣＲ適合定電圧回路の構造を表わす。図２ａに示されるように、前記第２態様の前記定電圧回路は、前記第１態様により提供される前記定電圧回路及び第１整流モジュール２１を含むことができる。前記電力供給モジュール１６の１つの端子は前記ＳＣＲ１５の１つの端子に接続することができる。前記電力供給モジュール１６のその他の端子は前記第１整流モジュール２１の第１入力端子と接続することができる。前記ＳＣＲ１５の前記その他の端子は前記第１整流モジュール２１の第２入力端子と接続することができる。前記第１整流モジュール２１の前記第１出力端子は前記電力変換モジュール１４に接続することができる。前記第１整流モジュール２１の第２出力端子は低電位及び前記電力変換モジュール１４のそれぞれに接続することができる。前記第１サンプリング点は、前記第１整流モジュール２１と前記電力変換モジュール１４との間に配置することができる。
【００３２】
任意に、前記電力変換モジュール１４における逆方向に沿って流れる前記電力の流れのいくらかがサンプリングの正確性に影響を与えることを防ぐために、前記第２態様により提供される前記定電圧回路は、さらに、単一方向伝達モジュール（unidirectional transmission module）２２を含むことができる。前記第１整流モジュール２１の第１出力端子は前記単一方向伝達モジュール２２の１つの端子に接続することができる。前記単一方向伝達モジュール２２のその他の端子は、前記第１整流モジュール２１から前記電力変換モジュール１４へ単一方向に沿って電流を伝達するために前記電力変換モジュール１４に接続することができる。前記第１サンプリング点Ａは、前記第１整流モジュール２１と前記単一方向伝達モジュール２２との間に配置することができる。
【００３３】
前記低電位はグランド電位又は負電位を含むことができ、本願開示の態様により限定されない。
【００３４】
任意に、前記第１整流モジュール２１は複数の方法を介して実現することができる。例えば、前記第１整流モジュール２１はブリッジ整流器（bridge rectifier）であり得る。よって、前記第１整流モジュール２１は、並列に接続される第１整流ユニット及び第２整流ユニットを含むことができる。前記第１整流ユニットは、直列に接続される第１ダイオード及び第２ダイオードを含むことができる。前記第２整流ユニットは、直列に接続される第３ダイオード及び第４ダイオードを含むことができる。
【００３５】
前記第１ダイオードのカソード及び前記第３ダイオードのカソードは前記第１整流モジュール２１の第２出力端子に接続することができる。前記第１ダイオードのアノードは前記第１整流モジュール２１の第２入力端子に接続することができる。前記第４ダイオードのカソードは前記第１整流モジュール２１の前記第１入力端子に接続することができる。前記第４ダイオードのアノードは前記第１整流モジュール２１の第１出力端子及び前記第２ダイオードのカソードに接続することができる。前記第１整流モジュール２１における部品間の特定の接続は本願開示の態様により限定されるべきではない。
【００３６】
また、前記単一方向伝達モジュール２２は、複数の、例えば、ダイオードのような単一方向伝達装置を介して実現することもできる。よって、前記単一方向伝達モジュール２２は、１又は複数のダイオードを含むことができる。前記ダイオードのカソードは前記第１整流モジュール２１の第１出力端子に接続することができる。前記ダイオードのアノードは前記電力変換モジュール１４に接続することができる。前記特定タイプの単一方向伝達モジュール２２及び前記単一方向伝達モジュール２２における部品間の接続は、本願開示の態様により限定されるべきではない。
【００３７】
本願開示により提供されるＳＣＲ適合定電圧回路において、前記第１整流モジュール２１及び前記単一方向伝達モジュール２２は、前記ＳＣＲ１５と前記電力変換モジュール１４との間に配置することができる。前記第１サンプリング点Ａは、前記第１整流モジュール２１と前記単一方向伝達モジュール２２との間に配置することができる。前記単一方向伝達モジュール２２は、前記電流が前記第１整流モジュール２１から前記電力変換モジュール１４へ単一方向に沿って流れるように制御することができる。前記単一方向伝達モジュール２２を用いることにより、電流は図２における電流“i1”により示される方向に沿って流れることができる。前記単一方向伝達モジュール２２は、前記電力変換モジュール１４における電力又は電流が電流i1の反対方向に沿って流れることを防ぐことができる。したがって、前記第１サンプリング点Ａにおける電圧は、前記第１整流モジュール２１の入力電圧と同じ強度をもつことができる。前記電圧のサンプリングはより正確であり得る。
【００３８】
任意に、図２ｂは、本願開示の第３態様により提供されるＳＣＲ適合定電圧回路の構造を表わす。図２ｂに示されるように、前記第３態様により提供されるＳＣＲ適合定電圧回路は、前記第１態様により提供される前記ＳＣＲ適合定電圧回路、第２整流モジュール２３、及び第３整流モジュール２４を含むことができる。
【００３９】
前記電力供給モジュール１６の１つの端子は前記ＳＣＲ１５の１つの端子に接続することができる。前記電力供給モジュール１６のその他の端子は、前記第２整流モジュール２３の第１入力端子及び前記第３整流モジュール２４の第１入力端子に接続することができる。前記第２整流モジュール２３の第１出力端子は前記電力変換モジュール１４に接続することができる。前記第２整流モジュール２３の第２出力端子は低電位及び前記電力変換モジュール１４に接続することができる。前記第３整流モジュール２４の第２出力端子は前記第２整流モジュール２３の第２出力端子に接続することができる。前記第１サンプリング点は前記第３整流モジュール２４の第１出力端子に配置することができる。前記第３整流モジュール２４の前記第２出力端子は前記低電位に接続することができる。前記低電位は、グランド電位又は負電位を含むことができ、及び本願開示の態様に限定されない。
【００４０】
任意に、前記第２整流モジュール２３及び前記第３整流モジュール２４は複数の方法を介して実現することができる。例えば、前記第２整流モジュール２３及び前記第３整流モジュール２４はそれぞれ、並列に接続される第１整流ユニット及び第２整流ユニットを含むことができる。前記第１整流ユニットは、直列に接続される第１ダイオード及び第２ダイオードを含むことができる。前記第２整流ユニットは、直列に接続される第３ダイオード及び第４ダイオードを含むことができる。
【００４１】
前記第１ダイオードのカソード及び前記第３ダイオードのカソードは、前記第２整流モジュール２３（又は前記第３整流モジュール２４）の第２出力端子に接続することができる。前記第１ダイオードのアノードは、前記第２整流モジュール２３（又は前記第３整流モジュール２４）の第２入力端子に接続することができる。前記第４ダイオードのカソードは、前記第２整流モジュール２３（又は前記第３整流モジュール２４）の前記第１入力端子に接続することができる。前記第４ダイオードのアノードは、前記第２整流モジュール２３（又は前記第３整流モジュール２４）の前記第１出力端子および前記第２ダイオードのカソードに接続することができる。前記第１整流モジュール２１における部品間の特定の接続は、本願開示の態様により限定されるべきではない。
【００４２】
具体的には、前記ＳＣＲ１５は、前記第２整流モジュール２３及び前記第３整流モジュール２４に接続することができ、ここで、前記第２整流モジュール２３及び前記第３整流モジュール２４は並列に接続することができる。前記第２整流モジュール２３の出力端子は前記電力変換モジュール１４に接続することができる。前記第１サンプリング点Ａは、前記第３整流モジュール２４の出力端子に配置することができる。
【００４３】
本願開示により提供される前記ＳＣＲ定電圧回路において、並列に接続される前記第２整流モジュール２３及び前記第３整流モジュール２４は、前記ＳＣＲ１５と前記電力変換モジュール１４との間に配置することができる。前記電圧サンプリング点又は前記第１サンプリング点Ａは、前記電力変換モジュール１４における電力又は電流が逆の方向に流れるのを防ぐために、前記第３整流モジュール２４の前記出力端子に配置することができる。前記第１サンプリング点Ａにおける電圧及び前記整流モジュール（すなわち、前記第２整流モジュール２３及び前記第３整流モジュール２４）の入力電圧は同一の振幅をもつことができる。前記第１サンプリング点Ａにおける電圧は、より正確にサンプリングすることができる。
【００４４】
任意に、図２ｃは、本願開示の第４態様にしたがったＳＣＲ適合定電圧回路の構造を表わす。図２ｃに示されるように、前記第４態様により提供される前記ＳＣＲ適合定電圧回路は、前記第１態様により提供される前記ＳＣＲ適合定電圧回路及び第４整流モジュール２５を含むことができる。
【００４５】
前記電力供給モジュール１６の１つの端子は前記ＳＣＲ１５の１つの端子に接続することができる。前記電力供給モジュール１６のその他の端子は前記第４整流モジュール２５の第１入力端子に接続することができる。前記ＳＣＲ１５のその他の端子は前記第４整流モジュール２５の第２入力端子に接続することができる。前記第４整流モジュール２５の第１出力端子は前記電力変換モジュール１４に接続することができる。前記第４整流モジュール２５の第２出力端子は前記電力変換モジュール１４及び低電位に接続することができる。前記第１サンプリング点Ａにおける電圧は、前記第２サンプリング点Ａ１における電圧と前記第３サンプリング点Ａ２における電圧との合計であり得る。図２ｃに示されるように、前記第２サンプリング点Ａ１は前記第４整流モジュール２５の第１入力端子に配置することができ、及び前記第３サンプリング点Ａ２は前記第４整流モジュール２５の第２入力端子に配置することができる。前記低電位は、グランド電位又は負電位を含むことができ、本願開示の態様により限定されない。
【００４６】
任意に、前記第４整流モジュール２５は複数の方法を介して実現することができる。例えば、前記第４整流モジュール２５はブリッジ整流器であり得る。よって、前記第４整流モジュール２５は、並列に接続される第１整流ユニット及び第２整流ユニットを含むことができる。前記第１整流ユニットは、直列に接続される第１ダイオード及び第２ダイオードを含むことができる。前記第２整流ユニットは、直列に接続される第３ダイオード及び第４ダイオードを含むことができる。
【００４７】
前記第１ダイオードのカソード及び前記第３ダイオードのカソードは、前記第４整流モジュール２５の第２出力端子に接続することができる。前記第１ダイオードのアノードは前記第４整流モジュール２５の第２入力端子に接続することができる。前記第４ダイオードのカソードは前記第４整流モジュール２５の第１入力端子に接続することができる。前記第４ダイオードのアノードは前記第４整流モジュール２５の第１出力端子及び第２ダイオードのカソードに接続することができる。前記第４整流モジュール２５における部品間の特定の接続は本願開示の態様に限定されるべきではない。
【００４８】
任意に、前記電圧のサンプリングについては、前記定電圧回路は、さらに、第１加算器２６を含むことができる。前記第１加算器２６の第１入力端子は前記第４整流モジュール２５の第１入力端子に接続することができる。前記第１加算器２６の第２入力端子は前記第４整流モジュール２５の第２入力端子に接続することができる。前記第１加算器２６の第１入力端子及び第２入力端子は、第１重畳電圧（superimposed voltage）を出力するように構成することができる。前記第１重畳電圧は、前記第２サンプリング点Ａ１における電圧と前記第３サンプリング点Ａ２における電圧との合計であり得る。よって、前記第１サンプリング点Ａは前記加算器２６の出力端子に配置することができる。
【００４９】
具体的には、１つの態様において、前記第４整流モジュール２５は前記ＳＣＲ１５と前記電力変換モジュール１４との間に配置することができる。前記第１加算器２６の第１入力端子は前記第４整流モジュール２５の第１入力端子における第２サンプリング点Ａ１に接続することができる。前記第１加算器２６の第２入力端子は前記第４整流モジュール２５の第２入力端子における第３サンプリング点Ａ２に接続することができる。よって、前記第１サンプリング点Ａは前記第１加算器２６の出力端子に配置することができる。すなわち、前記第１サンプリング点Ａにおける電圧は、前記第２サンプリング点Ａ１と前記第３サンプリング点Ａ２における電圧の合計であり得る。
【００５０】
本願開示により提供される前記ＳＣＲ適合定電圧回路において、前記第４整流モジュール２５は前記ＳＣＲ１５と前記電力変換モジュール１４との間に配置することができる。前記第２サンプリング点Ａ１及び第３サンプリング点Ａ２は前記第４整流モジュール２５の前記２つのＡＣ入力端子に、それぞれ配置することができる。前記第１サンプリング点における電圧は、前記第２サンプリング点Ａ１及び第３サンプリング点Ａ２における電圧の合計であり得る。前記第１サンプリング点Ａにおける電圧は、前記第４整流モジュール２５の入力電圧と同一の振幅をもつことができる。前記第１サンプリング点Ａにおける電圧は、より正確であり得る。
【００５１】
前記第１サンプリング点Ａは、如何なるその他の適切な方法において実現することができることに留意すべきである。前記第１サンプリング点の特定の配置は、本願開示の態様により限定されるべきではない。
【００５２】
具体的には、図３は、本願開示の第５態様にしたがったＳＣＲ適合定電圧回路の構造を表わす。図３に示されるように、前記第５態様により提供される前記ＳＣＲ適合定電圧回路は前記第１態様により提供される前記ＳＣＲ適合定電圧回路を含むことができ、ここで、前記入力不足電圧制御モジュール１１は、第１ヒステリシス・コンパレータ（hysteresis comparator）３２及び電圧サンプリング・モジュール３１を含むことができる。
【００５３】
前記電圧サンプリング・モジュール３１は、複数時間について前記第１サンプリング点Ａにおける電圧値をサンプリングして、平均電圧値を出力するように構成することができる。前記第１ヒステリシス・コンパレータ３２は、前記電圧サンプリング・モジュール３１により出力される前記平均電圧値を第１参照電圧Ｖref1と比較するために、前記電圧サンプリング・モジュール３１と接続することができる。前記平均電圧値が前記第１参照電圧Ｖref1より大きいなら、前記第１ヒステリシス・コンパレータ３２は高電位を出力し、前記電力変換モジュール１４を制御して電力変換を開始させることができる。前記平均電圧値が前記第１参照電圧Ｖref1より小さい又は前記第１参照電圧Ｖref1と同等なら、前記第１ヒステリシス・コンパレータ３２は、低電位を出力し、前記電力変換モジュール１４を制御して電力変換を停止させることができる。
【００５４】
具体的には、前記入力不足電圧制御モジュール１１は、前記電圧サンプリング・モジュール３１及び前記第１ヒステリシス・コンパレータ３２を含むことができる。前記電圧サンプリング・モジュール３１は、複数の時間について前記第１サンプリング点Ａにおける電圧をサンプリングし、及び特定の割合にしたがって前記平均電圧値を出力することができる。前記第１ヒステリシス・コンパレータ３２は、前記平均電圧値を前記予め決定される第１参照電圧Ｖref1と比較して、当該比較結果に基づいて制御信号Ｖctr1を出力することができる。前記制御信号Ｖctr1は前記電力変換モジュール１４を制御するために用いることができる。さらに、もし、前記平均電圧値が前記第１参照電圧Ｖref1より大きいなら、前記第１ヒステリシス・コンパレータ３２は、前記電力変換モジュールが定電圧を出力することができるように、高電位を出力して前記電力変換モジュール１４を開始することができる。もし、前記平均電圧値が前記第１参照電圧Ｖref1より小さいか又は前記第１参照電圧Ｖref1と同等なら、前記第１ヒステリシス・コンパレータ３２は、低電位を出力して前記電力変換モジュール１４を停止させることができる。具体的には、本願開示において、前記第１サンプリング点Ａにおける電圧は平均化され、前記第１参照電圧Ｖref1と比較されるから、前記サンプリングされる電圧値及び平均化される電圧値は、前記ＳＣＲ１５の導通角が減少するように減少する。
【００５５】
本願開示により提供される前記ＳＣＲ適合定電圧回路において、前記入力不足電圧制御モジュール１１は、前記電圧サンプリング・モジュール３１及び前記第１ヒステリシス・コンパレータ３２を含むことができる。前記電圧サンプリング・モジュール３１は、複数時間について前記第１サンプリング点Ａにおける電圧値をサンプリングして、前記平均電圧値を出力することができる。前記第１ヒステリシス・コンパレータ３２は、前記平均電圧値を第１参照電圧Ｖref1と比較して、前記比較結果に基づいて前記電力変換モジュール１４を制御することができる。したがって、前記ＳＣＲ適合定電圧回路は、改善された信頼性をもって操作でき、及び不足電圧保護機能を入力することができる。
【００５６】
さらに具体的には、図４は、本願開示の第６態様にしたがったＳＣＲ適合定電圧回路の構造を表わす。図４に示されるように、前記第６態様により提供される前記ＳＣＲ適合定電圧回路は、前記第１態様により提供される前記ＳＣＲ適合定電圧回路を含むことができ、ここで、前記制御可能負荷モジュール１３は、抵抗４１及び制御可能スイッチ４２を含むことができる。
【００５７】
前記制御可能スイッチ４２は前記電力変換モジュール１４に接続することができる。前記抵抗４１は前記制御可能スイッチ４２と直列に接続することができる。説明目的のために、前記抵抗４１は１つの抵抗を示すだけである。実際には、前記抵抗４１は複数の抵抗も表わすことができる。前記制御可能スイッチ４２は、前記電力変換モジュール１４が電力変換を停止するとき、スイッチ・オン又は接続するように構成することができる。
【００５８】
具体的には、前記ＳＣＲ１５が適切にスイッチ・オンすることを確保するために、特定量の電流が前記ＳＣＲ１５を介して流れることが必要とされる。よって、本願開示の態様において、前記特定量の電流を前記制御可能負荷モジュール１３を介して提供することができる。前記電力変換モジュール１４が定電圧を出力しないとき、前記電力変換モジュール１４は第２制御信号Ｖctr2を前記制御可能負荷モジュールにおける前記制御可能スイッチ４２に送信することができる。前記制御可能スイッチ４２は前記第２制御信号Ｖctr2を受信して、前記抵抗４１を前記ＳＣＲ１５に接続することができるように前記接続を制御することができる。前記抵抗４１は前記ＳＣＲ１５用の負荷を供給し、これにより前記ＳＣＲ１５用の電流を提供することができる。したがって、前記ＳＣＲ１５を適切にスイッチ・オンすることができる。
【００５９】
より具体的には、図５は、本願開示の第７態様にしたがったＳＣＲ適合定電圧回路の構造を表わす。図５に示されるように、前記第７態様により提供される前記ＳＣＲ適合定電圧回路は、前記第１態様により提供される前記ＳＣＲ適合定電圧回路を含むことができ、ここで、前記過大電力保護モジュール１２は第２加算器５１、増幅器５２、及び第２ヒステリシス・コンパレータ５３を含むことができる。
【００６０】
前記第２加算器５１の前記第１出力端子は前記電力変換モジュール１４に接続することができる。前記第２加算器５１の前記第２出力端子は、第２重畳電圧を出力するために、前記第１サンプリング点Ａに接続することができる。前記第２重畳電圧は前記第１サンプリング点Ａにおける電圧と前記電力変換モジュール１４の出力電圧との重畳（superimposition）であり得る。前記増幅器５２は、前記第２重畳電圧を増幅するために前記第２加算器５１に接続することができる。前記第２ヒステリシス・コンパレータ５３は、前記増幅された第２重畳電圧を第２参照電圧Ｖref2と比較するために前記増幅器５２と接続することができる。もし前記増幅された第２重畳電圧が前記第２参照電圧Ｖref2より大きいなら、前記第２ヒステリシス・コンパレータ５３は高電位を出力し、前記電力変換モジュール１４を制御して電力変換を停止させることができる。もし前記増幅された第２重畳電圧が前記第２参照電圧Ｖref2より小さい又は前記第２参照電圧Ｖref2と同等なら、前記第２ヒステリシス・コンパレータ５３は低電位を出力し、前記電力変換モジュール１４を制御して電力変換を開始させることができる。
【００６１】
具体的には、最大導通角における前記ＳＣＲ１５の望ましくない高い出力電力により引き起こされる回路における部品へのダメージを防ぐために、本願開示により提供される前記ＳＣＲ適合定電圧回路は前記過大電力保護モジュール１２を含むことができる。前記過大電力保護モジュール１２は、前記第２加算器５１、前記増幅器５２、及び前記第２ヒステリシス・コンパレータ５３を含むことができる。前記電力変換モジュール１４による前記出力信号Ｖisense及び前記電圧サンプリング点Ａにおける電圧は、前記第２加算器５１を介して加算し、重畳することができる。前記重畳電圧は前記増幅器５２により増幅することができる。前記第２ヒステリシス・コンパレータ５３は、前記増幅された重畳電圧、すなわち、前記増幅された第２重畳電圧を前記予め決定された第２参照電圧Ｖref2と比較して、第３制御信号Ｖctr3を出力することができる。前記第３制御信号Ｖctr3は、前記電力変換モジュール１４を制御して過大電力保護機能を実行するために用いることができる。さらに、前記第２ヒステリシス・コンパレータ５３は、前記増幅された第２重畳電圧を前記第２参照電圧Ｖref2と比較することができる。もし前記増幅された第２重畳電圧が前記第２参照電圧Ｖref2より大きいなら、前記第２ヒステリシス・コンパレータ５３は高電位を出力し、前記電力変換モジュール１４を制御して電力変換を停止させることができる。もし前記増幅された第２重畳電圧が前記第２参照電圧Ｖref2より小さい又は前記第２参照電圧Ｖref2と同等なら、前記第２ヒステリシス・コンパレータ５３は低電位を出力し、前記電力変換モジュール１４を制御して電力変換を開始させることができる。
【００６２】
本願開示により提供される前記ＳＣＲ適合定電圧回路において、前記過大電力保護モジュールは、前記第２加算器５１、前記増幅器５２、及び前記第２ヒステリシス・コンパレータ５３を含むことができる。前記電力変換モジュール１４により出力される前記信号Ｖisenseは、前記第１サンプリング点Ａにおける電圧と重畳することができ、さらに、前記増幅器５２により増幅されて増幅された第２重畳電圧を得ることができる。前記第２ヒステリシス・コンパレータ５３は、前記増幅された第２重畳電圧を前記第２参照電圧Ｖref2と比較し、及び第３制御信号Ｖctr3を出力して前記電力変換モジュール１４を制御することができる。したがって、最大導通角における前記ＳＣＲ１５による望ましくない高い出力電力を防ぐことができる。前記ＳＣＲ適合定電圧回路は、改善された安全性及び信頼性をもって動作することができる。
【００６３】
図６は、本願開示の第８態様にしたがったＬＥＤ調光回路の構造を表わす。図６に示されるように、前記ＬＥＤ調光回路は、ＳＣＲ調光器６１、本願開示の態様のいずれか１つにより提供されるＳＣＲ適合定電圧回路、電力供給モジュール６３、及びＬＥＤ照明部品６４を含むことができる。
【００６４】
前記ＳＣＲ調光器６１の１つの端子は、前記電力供給モジュール６３に接続することができる。前記ＳＣＲ適合定電圧回路６２は、前記ＬＥＤ照明部品用の定電圧を提供するために、前記ＳＣＲ調光器６１及び前記ＬＥＤ照明部品６４のその他の端子に接続することができる。
【００６５】
具体的には、前記第８態様における前記ＳＣＲは本願開示の態様のいずれか１つにおける前記ＳＣＲ１５であり得る。前記ＬＥＤ調光回路は、前記ＳＣＲ調光器及び本願開示の態様により提供される前記定電圧回路のいずれか１つを含むことができる。前記ＳＣＲ調光器におけるＳＣＲは前記電力供給モジュール６３に接続することができる。前記ＳＣＲ適合定電圧回路６２は、前記ＳＣＲ及び前記ＬＥＤ負荷、例えば、前記ＬＥＤ照明部品６４に接続することができる。前記ＳＣＲ適合定電圧回路６２は、前記ＬＥＤ照明部品６４用の定電圧を提供することができる。実際に、前記ＬＥＤ調光回路は様々なＬＥＤ照明装置において広範囲に用いることができる。前記ＳＣＲ調光器６１を制御及び調節することにより、定電圧を対応するＬＥＤ照明装置に提供することができる。
【００６６】
本願開示により提供される前記ＳＣＲ適合定電圧回路において、前記モジュールの中の論理制御を介して、特定導通角における前記ＳＣＲは、前記回路が全範囲の負荷において定電圧を出力することを確保するために用いることができる。一方、前記ＳＣＲ適合定電圧回路は、入力不足電圧制御機能及び過大電力保護機能をもつことができる。
【００６７】
本願開示により提供される前記ＬＥＤ調光回路において、本願開示のＳＣＲ適合定電圧回路を用いることができる。前記ＬＥＤの輝度は、前記ＳＣＲ調光器及び前記ＳＣＲ適合定電圧回路を介して制御及び調節することができる。本制御はより信頼性があり、より安定性がある。
【００６８】
本願開示の第９態様により、ＬＥＤ装置が提供される。当該ＬＥＤ照明装置は、前記ＬＥＤ調光回路及び前記ＬＥＤ照明部品を含むことができる。前記ＬＥＤ調光回路は前記ＬＥＤ照明部品に接続することができる。
【００６９】
前記ＬＥＤ調光回路は、ＳＣＲ調光器及び本願開示により提供される態様のいずれか一つに開示されるＳＣＲ適合定電圧回路を含むことができる。前記ＳＣＲ調光器における前記ＳＣＲは電力供給モジュールに接続することができる。前記ＳＣＲ適合定電圧回路は前記ＳＣＲ調光器及び前記ＬＥＤ照明部品に接続することができ、前記ＬＥＤ照明部品用の定電圧を提供することができる。実際に、前記ＬＥＤ調光回路は様々なＬＥＤ照明装置において広範囲に用いることができる。前記ＳＣＲ調光器を制御することにより、前記ＬＥＤ調光回路は前記ＬＥＤ照明装置における定電圧制御に用いることができる。
【００７０】
本願開示により提供される前記ＳＣＲ適合定電圧回路において、前記モジュールの中の論理制御を介して、特定導通角における前記ＳＣＲは、前記回路が全範囲の負荷において定電圧を出力することを確保するために用いることができる。一方、前記ＳＣＲ適合定電圧回路は、入力不足電圧制御機能及び過大電力保護機能をもつことができる。
【００７１】
本願開示により提供される前記ＬＥＤ照明装置において、本願開示のＳＣＲ適合定電圧回路が含まれる。ＳＣＲは、前記ＬＥＤ照明装置の輝度を制御及び調節するために前記定電圧回路と組み合わせられる。前記制御を、より安定でより信頼性のあるものにすることができる。
【００７２】
本願開示の前記態様は単なる例示である。前記開示の態様へのその他の応用、利点、変更、修飾、又は等価物は、当該技術分野における当業者に明らかであり、本願開示の範囲内に包含されることを意図している。
【産業上の利用可能性】
【００７３】
如何なる請求項及び／又は明細書の範囲の限定なしに、本願開示の態様の産業上の利用可能性及び特定の有利な効果を、実例を挙げて説明する。本願開示の態様の解決手段の様々な変更、修飾、又は等価物は当業者に明らかであり得、本願開示に含むことができる。
【００７４】
本願開示により提供されるＳＣＲ適合定電圧回路において、前記モジュールの中の論理制御を介して、特定導通角における前記ＳＣＲは、前記回路が全範囲の負荷において定電圧を出力することを確保するために用いることができる。一方、前記ＳＣＲ適合定電圧回路は、入力不足電圧制御機能及び過大電力保護機能をもつことができる。
【００７５】
本願開示により提供される前記ＬＥＤ調光回路は、ＳＣＲ調光器及びいずれか一つの態様に開示されるようなＳＣＲ適合定電圧回路を含むことができる。前記ＳＣＲ調光器における前記ＳＣＲは電力供給モジュールに接続することができる。前記ＳＣＲ適合定電圧回路は前記ＳＣＲ調光器及び前記ＬＥＤ照明部品に接続することができ、前記ＬＥＤ照明部品用の定電圧を提供することができる。実際に、前記ＬＥＤ調光回路は様々なＬＥＤ照明装置において広範囲に用いることができる。前記ＳＣＲ調光器を制御することにより、前記ＬＥＤ調光回路はＬＥＤ照明装置における定電圧制御に用いることができる。
【００７６】
本願開示により提供される前記ＬＥＤ調光装置において、本願開示のＳＣＲ適合定電圧回路が含まれる。ＳＣＲは、前記ＬＥＤ照明装置の輝度を制御及び調節するために前記定電圧回路と組み合わせられる。前記制御を、より安定でより信頼性のあるものにすることができる。
【符号の説明】
【００７７】
１１  入力不足電圧制御モジュール
１２  過大電力保護モジュール
１３  制御可能負荷モジュール
１４  電力変換モジュール
１５  シリコン制御整流器（ＳＣＲ）
１６  電力供給モジュール
１７  負荷モジュール
２１  第１整流モジュール
２２  単一方向伝達モジュール
２３  第２整流モジュール
２４  第３整流モジュール
２５  第４整流モジュール
２６  第１加算器
３１  電圧サンプリング・モジュール
３２  第１ヒステリシス・コンパレータ
４１  抵抗
４２  制御可能スイッチ
５１  第２加算器
５２  増幅器
５３  第２ヒステリシス・コンパレータ
６１  ＳＣＲ調光器
６２  ＳＣＲ適合定電圧回路
６３  電力供給モジュール
６４  ＬＥＤ照明部品
【図１】
0006343720.tif 000002
【図２ａ】
0006343720.tif 000003
【図２ｂ】
0006343720.tif 000004
【図２ｃ】
0006343720.tif 000005
【図３】
0006343720.tif 000006
【図４】
0006343720.tif 000007
【図５】
0006343720.tif 000008
【図６】
0006343720.tif 000009